(57)【要約】【課題】輝度ムラの発生を抑えて均一な発光を可能とするエンブレム発光装置を提供すること。２【解決手段】表面にエンブレム９が取り付けられたアウタレンズ３とハウジングによって画成される空間内に、光源であるＬＥＤ７と、該ＬＥＤ７から出射される光を導光させる導光板６を収容して成るエンブレム発光装置１において、前記ＬＥＤ７を搭載する基板８上において、前記ＬＥＤ７を挟むように反射部材１０を立設する。ここで、前記反射部材１０は、前記ＬＥＤ７から該ＬＥＤ７の光軸から片側５０°〜９０°のエリアに照射される光を片側０°〜５０°のエリアに向けて反射させる機能を有する。又、前記反射部材１０の高さを変化させ、或いは前記反射部材１０の頂面に連続する複数のＶ字溝１０ａを形成する。【選択図】図２
2014160157.tif 000002
【特許請求の範囲】
【請求項１】
表面にエンブレムが取り付けられたアウタレンズとハウジングによって画成される空間内に、光源であるＬＥＤと、該ＬＥＤから出射される光を導光させる導光板を収容して成るエンブレム発光装置において、
前記ＬＥＤを搭載する基板上において、前記ＬＥＤを挟むように反射部材を立設したことを特徴とするエンブレム発光装置。
【請求項２】
前記反射部材は、前記ＬＥＤから該ＬＥＤの光軸から片側５０°〜９０°のエリアに照射される光を片側０°〜５０°のエリアに向けて反射させることを特徴とする請求項１記載のエンブレム発光装置。
【請求項３】
前記反射部材の高さを変化させたことを特徴とする請求項１又は２記載のエンブレム発光装置。
【請求項４】
前記反射部材の頂面に連続する複数のＶ字溝を形成したことを特徴とする請求項１〜３の何れかに記載のエンブレム発光装置。
【請求項５】
前記反射部材を熱伝導率の高い金属で構成したことを特徴とする請求項１〜４の何れかに記載のエンブレム発光装置。
【請求項６】
前記反射部材を光透過材で構成し、その厚みを変化させたことを特徴とする請求項１〜４の何れかに記載のエンブレム発光装置。
【請求項７】
前記導光板の前記ＬＥＤから離れた２箇所に第１の孔と第２の孔を形成するとともに、第２の孔に反射機能を持たせ、前記ＬＥＤから前記導光体の内部を導光する光を前記第１の孔で集光させた後、第２の孔において反射させることによって該第２の孔を擬似光源として機能させることを特徴とする請求項１〜６の何れかに記載のエンブレム発光装置。
【発明の詳細な説明】
【技術分野】
【０００１】
本発明は、エンブレムの周縁をＬＥＤからの光によって発光させるエンブレム発光装置に関するものである。
【背景技術】
【０００２】
例えば、車両の車体にはメーカー名や車種名、グレード等を表示するエンブレムが取り付けられているが、このエンブレムの夜間での視認性を高めるために該エンブレムの周縁を発光させることが行われている。
【０００３】
エンブレムを発光させる発光装置としては、エンブレムの透光部にＬＥＤからの光を通過させることによって発光させるものが使用されており、これに関して例えば特許文献１には図２４に示すようなものが提案されている。
【０００４】
即ち、図２４は特許文献１において提案されたエンブレム発光装置要部の断面図であり、図示のエンブレム発光装置１０１においては、エンブレム１０９の裏面側に配置されたケーシング１０３の内周面の全周にフレキシブル基板１０６を配置し、このフレキシブル基板１０６に複数のＬＥＤチップ１０５を周方向に適当な間隔で設けている。又、エンブレム１０９の裏面には拡散板１０４が接着されており、ケーシング１０３の底面には乳白色の塗膜１１５が形成されている。
【０００５】
斯かるエンブレム発光装置１０１において、各ＬＥＤチップ１０５に通電されて該ＬＥＤチップ１０５が発光すると、その光はケーシング１０３の底面に形成された塗膜１１５で反射して拡散板１０４へと向かい、その一部は拡散板１０４によって拡散されつつエンブレム１０９のくり抜き部１０９ａを通過してエンブレム１０９の周縁を発光させる。このエンブレム発光装置１０１によれば、ＬＥＤチップ１０５から出射される指向性の強い光を塗膜１１５で反射させて拡散させ、その反射光を拡散板１０４によって更に拡散させることによって指向性を和らげることができるため、均一で上品な発光を実現することができる。
【０００６】
又、特許文献２には図２５に示すようなエンブレム発光装置が提案されている。
【０００７】
即ち、図２５は特許文献２において提案されたエンブレム発光装置要部の断面図であり、図示のエンブレム発光装置２０１においては、導光板２０２の柱状体２０２Ａの上方に配置されたＬＥＤ光源２０５から出射された光が導光板２０２の柱状体２０２Ａの内部を伝播し、この光が柱状体２０２Ａの真下に形成された半球形状の凹部２０２ａで反射して水平方向に拡散するため、導光板２０２の全体が発光し、この光が不図示のエンブレムのくり抜き部(透光部)を通過することによってエンブレムの周縁を発光させる構成が採用されている。
【０００８】
更に、特許文献３には図２６に示すようなエンブレム発光装置が提案されている。
【０００９】
即ち、図２６は特許文献３において提案されたエンブレム発光装置の縦断面図であり、図示のエンブレム発光装置３０１においては、エンブレム（意匠体）３０９のロゴ形状部に形成された凹所（空間収納部）３０９ａにＬＥＤ３０５を収容し、エンブレム３０９の背面側から光を照射する構成が採用されており、これによればＬＥＤ３０５の輝度の高い部分が取り除かれて色ムラの無い均一な発光が可能となる。
【先行技術文献】
【特許文献】
【００１０】
【特許文献１】実用新案登録第３１６９５６４号公報
【特許文献２】特許第４７９００９５号公報
【特許文献３】特開２０１２−０８３５２０号公報
【発明の概要】
【発明が解決しようとする課題】
【００１１】
しかしながら、特許文献１〜３において提案されたエンブレム発光装置１０１，２０１，３０１においては、光源として指向性の強いＬＥＤ１０５，２０５，３０５を使用しているため、これらのＬＥＤ１０５，２０５，３０５に近いエリアの輝度が不可避的に高くなり、全体に輝度ムラが生じて均一な発光が不可能であるという問題があった。特に、エンブレム発光装置を薄型小型化すると、輝度ムラの発生が顕著であった。
【００１２】
本発明は上記問題に鑑みてなされたもので、その目的とする処は、輝度ムラの発生を抑えて均一な発光を可能とするエンブレム発光装置を提供することにある。
【課題を解決するための手段】
【００１３】
上記目的を達成するため、請求項１記載の発明は、表面にエンブレムが取り付けられたアウタレンズとハウジングによって画成される空間内に、光源であるＬＥＤと、該ＬＥＤから出射される光を導光させる導光板を収容して成るエンブレム発光装置において、前記ＬＥＤを搭載する基板上において、前記ＬＥＤを挟むように反射部材を立設したことを特徴とする。
【００１４】
請求項２記載の発明は、請求項１記載の発明において、前記反射部材は、前記ＬＥＤから該ＬＥＤの光軸から片側５０°〜９０°のエリアに照射される光を片側０°〜５０°のエリアに向けて反射させることを特徴とする。
【００１５】
請求項３記載の発明は、請求項１又は２記載の発明において、前記反射部材の高さを変化させたことを特徴とする。
【００１６】
請求項４記載の発明は、請求項１〜３の何れかに記載の発明において、前記反射部材の頂面に連続する複数のＶ字溝を形成したことを特徴とする。
【００１７】
請求項５記載の発明は、請求項１〜４の何れかに記載の発明において、前記反射部材を熱伝導率の高い金属で構成したことを特徴とする。
【００１８】
請求項６記載の発明は、請求項１〜４の何れかに記載の発明において、前記反射部材を光透過材で構成し、その厚みを変化させたことを特徴とする。
【００１９】
請求項７記載の発明は、請求項１〜６の何れかに記載の発明において、前記導光板の前記ＬＥＤから離れた２箇所に第１の孔と第２の孔を形成するとともに、第２の孔に反射機能を持たせ、前記ＬＥＤから前記導光体の内部を導光する光を前記第１の孔で集光させた後、第２の孔において反射させることによって該第２の孔を擬似光源として機能させることを特徴とする。
【発明の効果】
【００２０】
請求項１及び２記載の発明によれば、ＬＥＤを挟んでこれの両側に立設された反射部材がＬＥＤから出射されるムラのある弱い光（ＬＥＤの光軸から片側５０°〜９０°のエリアの光）をムラのない強い光（ＬＥＤの光軸から片側０°〜５０°のエリアの光）に向けて反射及び拡散させて該強い光と合成させるため、エンブレム周縁の輝度ムラの発生を抑えて均一な発光を実現することができる。
【００２１】
請求項３記載の発明によれば、反射部材の高さを変化させることによって、エンブレムが取り付けられたアウタレンズの意匠面への光量を調整することができる。
【００２２】
請求項４記載の発明によれば、反射材の頂面に連続する複数のＶ字溝を形成したため、エンブレムが取り付けられたアウタレンズの意匠面の輝度を緩やかなグラデーションで表現することができる。又、ＬＥＤからの光を反射部材のＶ字溝によって乱反射及び拡散屈折させることによって色ムラの発生を防ぐことができる。
【００２３】
請求項５記載の発明によれば、反射部材を熱伝導率の高い金属で構成したため、ＬＥＤが発生する熱が反射部材へと効率良く伝導して該反射部材から放熱されるため、ＬＥＤの温度上昇が抑えられる。
【００２４】
請求項６記載の発明によれば、反射材を光透過材で構成し、その厚みを変化させることによって、エンブレムが取り付けられたアウタレンズの意匠面の輝度を調整することができる。又、反射部材として光を透過する着色材を使用することによって、色味のグラデーションを表現することができるとともに、ＬＥＤの特性の１つである色度ムラを解消することができる。
【００２５】
請求項７記載の発明によれば、擬似的に光源が増えたように見せ掛けることができ、ムラのない均一な発光を実現することができる。
【図面の簡単な説明】
【００２６】
【図１】本発明の実施の形態１に係るエンブレム発光装置の分解断面図である。
【図２】本発明の実施の形態１に係るエンブレム発光装置の断面図である。
【図３】図２のＡ部拡大詳細図である。
【図４】本発明の実施の形態１に係るエンブレム発光装置のＬＥＤと反射部材の配置を示す平面図である。
【図５】図４のＢ部の光線図である。
【図６】本発明の実施の形態１に係るエンブレム発光装置の配光制御の原理図である。
【図７】図６の要部拡大詳細図である。
【図８】本発明の実施の形態１に係るエンブレム発光装置のＬＥＤと反射部材の配置例を示す平面図である。
【図９】本発明の実施の形態１に係るエンブレム発光装置のＬＥＤと反射部材の配置例を示す平面図である。
【図１０】本発明の実施の形態１に係るエンブレム発光装置のＬＥＤと反射部材の配置例を示す平面図である。
【図１１】本発明の実施の形態１に係るエンブレム発光装置の反射部材の別形態を示す図４の矢視Ｄ方向の図である。
【図１２】本発明の実施の形態１に係るエンブレム発光装置の反射部材の別形態を示す図４の矢視Ｃ方向の図である。
【図１３】本発明の実施の形態１に係るエンブレム発光装置の変形例を示す部分断面図である。
【図１４】本発明の実施の形態１に係るエンブレム発光装置の変形例を示すＬＥＤと反射部材の平面図である。
【図１５】本発明の実施の形態２に係るエンブレム発光装置の断面図である。
【図１６】図１５のＤ部拡大詳細図である。
【図１７】本発明の実施の形態３に係るエンブレム発光装置の分解断面図である。
【図１８】本発明の実施の形態３に係るエンブレム発光装置の断面図である。
【図１９】図１８のＥ部拡大詳細図である。
【図２０】本発明の実施の形態３に係るエンブレム発光装置の変形例を示す図１９と同様の図である。
【図２１】本発明の実施の形態４に係るエンブレム発光装置の断面図である。
【図２２】図２１の矢視Ｆ−Ｆ線方向の図である。
【図２３】本発明の実施の形態４に係るエンブレム発光装置の変形例を示す図２２と同様の図である。
【図２４】特許文献１において提案された発光装置の断面図である。
【図２５】特許文献２において提案された発光装置の断面図である。
【図２６】特許文献３において提案された発光装置の断面図である。
【発明を実施するための形態】
【００２７】
以下に本発明の実施の形態を添付図面に基づいて説明する。
【００２８】
＜実施の形態１＞
図１は本発明の実施の形態１に係るエンブレム発光装置の分解断面図、図２は同エンブレム発光装置の断面図、図３は図２のＡ部拡大詳細図、図４は同エンブレム発光装置のＬＥＤと反射部材の配置を示す平面図、図５は図４のＢ部の光線図、図６は同エンブレム発光装置の配光制御の原理図、図７は図６の要部拡大詳細図である。
【００２９】
本実施の形態に係るエンブレム発光装置１は、図１及び図２に示すように、ハウジング２とその開口部を覆うアウタレンズ３によって画成される空間内に、反射シート４，５と、導光板６と、光源であるＬＥＤ７を実装して成る基板８とを収容し、前記アウタレンズ３の表面にエンブレム９を取り付けることによって構成されている。このエンブレム発光装置１は、車両メーカー等のロゴを示す文字等のエンブレム９の夜間での視認性を高めるために該エンブレム９を発光させるためのものである。
【００３０】
前記ハウジング２は、光不透過性樹脂によって一体成形されており、その開口部を覆う前記アウタレンズ３は透明な光透過性樹脂や、光透過性樹脂に着色顔料を施したものによって一体成形されている。そして、図２及び図３に示すように、ハウジングの底面の前記ＬＥＤ７が配置される箇所には、ＬＥＤ７を挟んでこれの両側に縦リブ状の反射部材１０が一体に立設されている。ここで、反射シート５と導光板６及び基板８には、ハウジング２に立設された前記反射部材１０が貫通するための長孔状の貫通孔５ａ，６ａ，８ａがそれぞれ形成されており、反射シート５にはＬＥＤ７が通過するための孔５ｂが形成され（図１参照）、導光板６にはＬＥＤ７が臨むための矩形孔６ｂ（図４参照）が形成されている。尚、本実施の形態に於いては、複数のＬＥＤ７が平面視で図４に示すように配置されており、各ＬＥＤ７の左右両側に反射部材１０がそれぞれ配置されている。
【００３１】
而して、図２及び図３に示すように、ハウジング２とアウタレンズ３によって画成された空間においては、ハウジング２の底部に基板８が水平に設置され、その上に反射シート５と導光板６が順次積層されており、各ＬＥＤ７の上方のアウタレンズ３の内面に沿って反射シート４が部分的に配置されている。
【００３２】
以上のように構成されたエンブレム発光装置１において、ＬＥＤ７が起動されてこれが発光すると、その光は、図５に示すように、平面視においてＬＥＤ７を中心として放射状に広がりながら導光板６に入射し、導光板６の内部を全反射しながら進み、その過程で導光板６の表面から出射してアウタレンズ３を透過し、アウタレンズ３の表面に取り付けられたエンブレム９の照明に供される。尚、このとき、ＬＥＤ７から上方に出射する直射光は反射シート４によって反射してＬＥＤ７側へと戻され、導光板６の下面から出射する光は反射シート５で反射して導光板６内へと戻される。
【００３３】
又、ＬＥＤ７から出射する光の一部は、図５に示すように、ＬＥＤ２を挟んで相対向する反射部材１０によって反射を繰り返した後、平面視において反射部材１０の端部において回折現象によって回り込み、これによって図示の点Ｐにおける輝度が和らげられる。
【００３４】
ところで、側面視においては、図６に示すようにＬＥＤ７から出射される光のうち、ＬＥＤ７の光軸から片側０°〜５０°のＡ〜Ｂのエリアに照射される光はムラのない強い光であり、光軸から片側５０°〜９０°Ｂ〜Ｃのエリアに照射される光はムラのある弱い光である。
【００３５】
而して、本実施の形態に於いては、図７に詳細に示すように、ＬＥＤ７を挟んでこれの両側に立設された反射部材１０がＬＥＤ７から出射されるムラのある弱い光（ＬＥＤ７の光軸から片側５０°〜９０°のエリアの光）をムラのない強い光（ＬＥＤ７の光軸から片側０°〜５０°のエリアの光）に向けて反射及び拡散させて該強い光と合成させるため、エンブレム９の周縁の輝度ムラの発生が抑えられて均一な発光が実現される。
【００３６】
ところで、本実施の形態においては、ＬＥＤ７とその左右両側に立設される反射部材１０を図４に示すように配置したが、これらのＬＥＤ７と反射部材１０の配置は任意であって、例えば図８に示すようにＬＥＤ７の左右両側に複数の反射部材１０を各２列ずつ直線状に配置したり、図９又は図１０に示すようにＬＥＤ７を中心として複数の反射部材１０を同心状に円形に配置しても良い。
【００３７】
又、反射部材１０として図１１又は図１２に示すような形状のものを用いても良い。
【００３８】
即ち、図１１及び図１２は反射部材の別形態を示す図４の矢視Ｃ方向の図であり、図１１に示す例では、反射部材１０の高さを中央部で高くし、反射部材１０の頂面に複数のＶ字溝１０ａを連続的に形成している。又、図１２に示す例では、反射部材１０を扇形に形成し、その頂面に複数のＶ字溝１０ａを連続的に形成している。
【００３９】
而して、反射部材１０の高さを変化させることによって、エンブレム９が取り付けられたアウタレンズ３の意匠面への光量を調整することができる。又、反射部材１０の頂面に連続する複数のＶ字溝１０ａを形成すれば、エンブレム９が取り付けられたアウタレンズ３の意匠面の輝度を緩やかなグラデーションで表現することができる。そして、ＬＥＤ７からの光を反射部材１０のＶ字溝１０ａによって乱反射及び拡散屈折させることができるため、色ムラの発生を防ぐことができる。
【００４０】
又、本実施の形態の変形例を図１３及び図１４に示す。
【００４１】
図１３は本発明の実施の形態１に係るエンブレム発光装置の変形例を示す部分断面図、図１４は同エンブレム発光装置のＬＥＤと反射部材の平面図である。
【００４２】
本変形例においては、反射部材１０を光透過材で構成し、その厚みを図１４に示すように長手方向端部に向かって細くなるようにしている。このように構成することによって、エンブレム９が取り付けられたアウタレンズ３の意匠面の輝度を調整することができる。又、反射部材１０として光を透過する着色材を使用することによって、色味のグラデーションを表現することができるとともに、ＬＥＤ７の特性の１つである色度ムラを解消することができる。
【００４３】
＜実施の形態２＞
次に、本発明の実施の形態２を図１５及び図１６に基づいて以下に説明する。
【００４４】
図１５は本発明の実施の形態２に係るエンブレム発光装置の断面図、図１６は図１５のＤ部拡大詳細図であり、これらの図においては図１〜図３において示したものと同一要素には同一符号を付しており、以下、それらについての再度の説明は省略する。
【００４５】
本実施の形態は、ハウジング２に一体に立設された反射部材１０の内側に反射シート１１を反射部材１０の内側に沿って配置したことを特徴としており、他の構成は前記実施の形態１のそれと同じである。
【００４６】
而して、本実施の形態では、ＬＥＤ７からの光の一部は反射シート１１によって効率良く反射し、ムラのある弱い光（ＬＥＤ７の光軸から片側５０°〜９０°のエリアの光）はムラのない強い光（ＬＥＤ７の光軸から片側０°〜５０°のエリアの光）に合成れるため、エンブレム９の周縁の輝度ムラの発生が効果的に抑えられて一層均一な発光が実現される。
【００４７】
＜実施の形態３＞
次に、本発明の実施の形態３を図１７〜図１９に基づいて以下に説明する。
【００４８】
図１７は本発明の実施の形態３に係るエンブレム発光装置の分解断面図、図１８は同エンブレム発光装置の断面図、図１９は図１８のＥ部拡大詳細図であり、これらの図においても図１〜図３に示したものと同一要素には同一符号を付しており、以下、それらについての再度の説明は省略する。
【００４９】
本実施の形態では、ＬＥＤ７を挟んでこれの両側に熱伝導率の高い金属でＬ字状に成形された反射部材１２を配置したことを特徴としており、他の構成は前記実施の形態１のそれと同じである。
【００５０】
而して、本実施の形態においても前記実施の形態１と同様の効果が得られるが、本実施の形態では、反射部材１２を熱伝導率の高い金属で構成したため、ＬＥＤ７が発生する熱が反射部材１２へと効率良く伝導して該反射部材１２から放熱される。この結果、ＬＥＤ７の温度上昇が抑えられ、該ＬＥＤ７の発光効率と耐久寿命が高められるという効果が得られる。
【００５１】
尚、本実施の形態では、反射部材１２として熱伝導性の高い金属によってＬ字状に成形されたものを使用したが、図２０に示すように熱伝導性の高い金属によってＵ字状に成形された反射部材１３を用いても同様の効果が得られる。
【００５２】
＜実施の形態４＞
次に、本発明の実施の形態４を図２１〜図２３に基づいて説明する。
【００５３】
図２１は本発明の実施の形態４に係るエンブレム発光装置の断面図、図２２は図２１のＦ−Ｆ線断面図であり、これらの図においても図１〜図３において示したものと同一要素には同一符号を付しており、以下、それらについての再度の説明は省略する。
【００５４】
本実施の形態は、導光板６のＬＥＤ７から離れた２箇所に第１の孔６ｃと第２の孔６ｄを形成するとともに、第２の孔６ｄに反射機能を持たせ、ＬＥＤ２から出射した光うち、矩形孔６ｂの周囲から導光板６の内部に入射した光を図２２に示すように第１の孔６ｃで集光させた後、第２の孔６ｄにおいて反射させることによって該第２の孔６ｄを擬似光源として機能させることを特徴としている。ここで、第２の孔６ｄの内周面には，反射処理、シボ加工や拡散塗装等が施されている。又、図２２に示すように、ＬＥＤ７の両側には平面視Ｖ字状の反射部材１４が配置されている。
【００５５】
而して、本実施の形態では、導光板６に形成された第２の孔６ｄが擬似光源として機能するため、擬似的に光源が増えたように見せ掛けることができ、ムラのない均一な発光を実現することができるという効果が得られる。
【００５６】
尚、本実施の形態では、擬似光源として機能する導光板６の第２の孔６ｄの内周面に反射処理、シボ加工、拡散塗装等の処理を施したが、図２３に示すように、導光板６に形成された第２の孔６ｄに平面視Ｖ字状の反射部材１５を配置しても同様の効果が得られる。
【符号の説明】
【００５７】
１          エンブレム発光装置
２          ハウジング
３          アウタレンズ
４，５      反射シート
５ａ        反射シートの貫通孔
５ｂ        反射シートの孔
６          導光板
６ａ        導光板の貫通孔
６ｂ        導光板の矩形孔
６ｃ        導光板の第１の孔
６ｄ        導光板の第２の孔
７          ＬＥＤ
８          基板
８ａ        基板の貫通孔
９          エンブレム
１０        反射部材
１１        反射シート
１２〜１５  反射部材
【図１】
2014160157.tif 000003
【図２】
2014160157.tif 000004
【図３】
2014160157.tif 000005
【図４】
2014160157.tif 000006
【図５】
2014160157.tif 000007
【図６】
2014160157.tif 000008
【図７】
2014160157.tif 000009
【図８】
2014160157.tif 000010
【図９】
2014160157.tif 000011
【図１０】
2014160157.tif 000012
【図１１】
2014160157.tif 000013
【図１２】
2014160157.tif 000014
【図１３】
2014160157.tif 000015
【図１４】
2014160157.tif 000016
【図１５】
2014160157.tif 000017
【図１６】
2014160157.tif 000018
【図１７】
2014160157.tif 000019
【図１８】
2014160157.tif 000020
【図１９】
2014160157.tif 000021
【図２０】
2014160157.tif 000022
【図２１】
2014160157.tif 000023
【図２２】
2014160157.tif 000024
【図２３】
2014160157.tif 000025
【図２４】
2014160157.tif 000026
【図２５】
2014160157.tif 000027
【図２６】
2014160157.tif 000028